(57)【要約】【課題】前面パネルの開放時に球発射装置が露出するように構成されたパチンコ機を改良する。【解決手段】球発射装置１４の前面側に保護カバー４４が設けられ、該保護カバー４４には、パチンコ球を発射位置に導入する球導入部２６より少し大きい開口部４９が該球導入部２６を前面側に露出させるように形成されている。パチンコ機の前面側下部に開閉可能に取り付けられた前面パネルの裏面には、球発射装置１４の発射動作に同期してパチンコ球を球導入部２６に送り出すための送出カムを有する球送出装置が保護カバー４４を挟んで球発射装置１４と対向するように設けられ、送出カムの後端部が保護カバー４４の開口部４９に入り込んでいる。【選択図】図１
2007330819.tif 000002
【特許請求の範囲】
【請求項１】
パチンコ球を発射する球発射装置と、パチンコ機の本体枠の前面側を開閉する前面パネルとを備え、前記前面パネルの開放時に前記球発射装置の少なくとも主要部品が露出するように構成されたパチンコ機において、
前記球発射装置は、発射するためのパチンコ球を発射位置に導入する球導入部と、該球導入部により導入されるパチンコ球の発射位置を決める補給誘導レールと、前記発射位置のパチンコ球を打撃して発射する打球槌を有し、
前記球発射装置の前面側に保護カバーが設けられ、該保護カバーには、前記球導入部より少し大きい開口部が該球導入部を前面側に露出させるように形成され、
前記前面パネルの裏面には、前記球発射装置の発射動作に同期してパチンコ球を前記球導入部に送り出すための送出カムを有する球送出装置が前記保護カバーを挟んで前記球発射装置と対向するように設けられ、前記送出カムの後端部が前記保護カバーの開口部に入り込んでいることを特徴とするパチンコ機。
【発明の詳細な説明】
【技術分野】
【０００１】
本発明は、前面パネルの開放時に球発射装置の少なくとも主要部品が露出するように構成されたパチンコ機に関する発明である。
【背景技術】
【０００２】
従来の一般的なパチンコ機は、球皿を設けた前面パネルの裏側（本体枠の前面）に、球皿から供給されるパチンコ球を発射する球発射装置が設けられている。この球発射装置の清掃、修理、点検等のメインテナンス作業をパチンコ機の前面側から行い得るようにするために、前面パネルをパチンコ機の本体枠に開放可能に取り付け、この前面パネルを開放したときに球発射装置の打球槌等の主要部品が前面側に露出するように構成したものがある（特許文献１，２参照）
【特許文献１】特開平８−１９１９２４号公報
【特許文献２】特開平８−２０６３２２号公報
【発明の開示】
【発明が解決しようとする課題】
【０００３】
しかし、上記従来のパチンコ機は、前面パネルの開放時に球発射装置の主要部品が露出する構造となっているため、球発射装置以外の箇所のメインテナンス作業中に、工具等が誤って球発射装置の主要部品に当って、該主要部品を傷付けてしまうおそれがある。また、遊技中に球発射装置側に戻ってくる落下球（ファール球）や、メインテナンス作業中に不用意に落とされた異物が打球槌の可動領域の隙間に入り込んで、球発射装置が正常に動作できなくなってしまうおそれもある。
【０００４】
本発明の目的は、前面パネルの開放時に球発射装置の少なくとも主要部品が露出するように構成されたパチンコ機を改良することである。
【課題を解決するための手段】
【０００５】
本発明は、パチンコ球を発射する球発射装置と、パチンコ機の本体枠の前面側を開閉する前面パネルとを備え、前記前面パネルの開放時に前記球発射装置の少なくとも主要部品が露出するように構成されたパチンコ機において、
前記球発射装置は、発射するためのパチンコ球を発射位置に導入する球導入部と、該球導入部により導入されるパチンコ球の発射位置を決める補給誘導レールと、前記発射位置のパチンコ球を打撃して発射する打球槌を有し、
前記球発射装置の前面側に保護カバーが設けられ、該保護カバーには、前記球導入部より少し大きい開口部が該球導入部を前面側に露出させるように形成され、
前記前面パネルの裏面には、前記球発射装置の発射動作に同期してパチンコ球を前記球導入部に送り出すための送出カムを有する球送出装置が前記保護カバーを挟んで前記球発射装置と対向するように設けられ、前記送出カムの後端部が前記保護カバーの開口部に入り込んでいることを特徴とするものである。
【０００６】
この構成では、球発射装置の打球槌等の主要部品が保護カバーで覆われているため、前面パネルの開放時に工具等が球発射装置の主要部品に当ったり、球発射装置付近に落下してきたパチンコ球や異物が球発射装置内の隙間に入り込んだりすることを未然に防止することができる。
【発明を実施するための最良の形態】
【０００７】
以下、本発明の一実施形態を図面に基づいて説明する。
まず、図６に基づいてパチンコ機の前面側の構成を概略的に説明する。パチンコ機の本体枠１１には、遊技盤１２が取り付けられ、この遊技盤１２に、センター役物、入賞口、入賞装置等（図示せず）が設けられている。遊技盤１２の前面側には、ガラス扉１３が設けられている。
【０００８】
本実施形態では、本体枠１１の左側下部に、パチンコ球を発射する球発射装置１４が設けられ、パチンコ機の左側下部からパチンコ球をほぼ垂直上方に打ち上げるようにしている。本体枠１１の前面側下部には、前面パネル１５が設けられ、この前面パネル１５に、パチンコ球を貯溜する大容量の球皿１６が１皿のみ設けられている。この球皿１６の右側下方部に、球発射装置１４の発射操作ハンドル１７が設けられている。
【０００９】
一方、図５に示すように、前面パネル１５の裏面（球発射装置１４の前方）には、球皿１６内のパチンコ球を球発射装置１４へ送り出す球送出装置１８が設けられている。この球送出装置１８は、球皿１６から流下するパチンコ球を球導入口１９から導入し、球発射装置１４の発射動作に同期して送出カム２０が回動軸２１を中心に上下動することで、導入したパチンコ球を１個ずつ球排出口２２から排出して球発射装置１４へ送り出す。
【００１０】
次に、図１乃至図４を用いて球発射装置１４の構成を説明する。
図１及び図２に示すように、球発射装置１４の本体基板２３は、本体枠１１に組み付けられ、この本体基板２３に、パチンコ球の発射台２４がネジ２５で固定されている。この発射台２４の中央部には、球送出装置１８から供給されるパチンコ球を導入する球導入部２６が形成され、この球導入部２６の左方に、横断面Ｖ字形の補給誘導レール２７（図３参照）がネジ２８で固定されている。この補給誘導レール２７と、球導入部２６の下方に形成された受止部２９との間の隙間に、パチンコ球の下部が嵌まり込んで、パチンコ球が静止した位置がパチンコ球の発射位置となる。
【００１１】
また、発射台２４の右方には、パチンコ球を発射するための打球槌３０が回動可能に設けられている。この打球槌３０の下端部に設けられた打球部３１で、発射台２４の発射位置に受け止められたパチンコ球を下方から打撃することで、そのパチンコ球が発射通路３２を通って上方に打ち上げられる。
【００１２】
一方、図３に示すように、本体基板２３の裏面には、打球槌３０を駆動するロータリソレノイド３５が取り付けられている。このロータリソレノイド３５は、筒状のステータ３６の内周側にロータ３７を配置した構成となっている。このロータ３７の回動軸３８は、ステータ３６の内周部に固定された軸受３９によって回動自在に支持されている。このロータ３７の回動軸３８の一端側は、本体基板２３の前面側に突出し、その先端部に打球槌３０がボルト４０で締め付け固定されている。
【００１３】
図２に実線で示すように、打球槌３０が自重又はばね等の付勢力で回動軸３８を中心にして下方に回動して、下側のストッパゴム４１に当接する位置が、打球槌３０の初期位置となる。
【００１４】
そして、発射操作ハンドル１７が発射操作されると、その操作量に応じた電圧でロータリソレノイド３５の通電／断電が繰り返される。これにより、図２に二点鎖線で示すように、打球槌３０が回動軸３８を中心にして初期位置から発射方向（時計回り方向）に回動して、発射台２４の発射位置に受け止められたパチンコ球を打球部３１で打ち出した後、図２に実線で示すように、逆方向に回動して初期位置に戻る発射動作を繰り返す。
【００１５】
尚、打球槌３０の発射方向への最大回動位置は、打球槌３０に一体形成されたストッパ片部４２が上側のストッパゴム４３に当接することで規制される。
【００１６】
また、図１に示すように、球発射装置１４の前方側には、透明性樹脂で形成された保護カバー４４が設けられている。保護カバー４４の左端部は、ヒンジ機構４５を介して本体枠１１に取り付けられ、保護カバー４４がヒンジ機構４５のヒンジ軸４６（図３参照）を中心にして開閉できるようになっている。保護カバー４４の右端部には、弾性変形可能な係止爪４７（図３参照）が形成され、この係止爪４７を本体枠１１の係合部４８に弾性係合させることで、保護カバー４４を閉鎖状態に保持できるようになっている。
【００１７】
この保護カバー４４には、球発射装置１４の球導入部２６に対応する部分に、開口部４９が形成され、この開口部４９によって球送出装置１８から球発射装置１４の球導入部２６へパチンコ球を導入できるようにしている。この開口部４９は、保護カバー４４と球送出装置１８との干渉を避けるように球発射装置１４の球導入部２６よりも少し大きめに形成されている。従って、球発射装置１４は、球導入部２６周辺以外の全ての部品が保護カバー４４によって覆われている。
【００１８】
更に、保護カバー４４の上部には、発射通路３２の下端部３２ａを覆う発射通路カバー部５１が一体成形され、この発射通路カバー部５１には、発射通路３２側に突出した複数本の球遊び規制リブ５２（図４参照）が発射通路３２に沿って延びるように形成されている。この球遊び規制リブ５２により発射通路３２の下端部３２ａ内のパチンコ球の遊びを小さくして、ファール球等によって発射通路３２の下端部３２ａ（発射位置の上方）に複数個のパチンコ球が溜まったときにそれらのパチンコ球が発射方向にほぼ一直線状に積み重なるようにしている。
【００１９】
以上のように構成したパチンコ機では、通常は、図１に示すように、保護カバー４４を閉鎖しておく。これにより、球発射装置１４の打球槌３０等の主要部品を保護カバー４４で覆うことができるので、前面パネル１５を開放して球発射装置１４以外の箇所のメインテナンス作業をしているときに、工具などの異物が誤って球発射装置１４の主要部品に当たることを防止して、球発射装置１４の破損を未然に防止することができる。
【００２０】
また、本実施形態の球発射装置１４は、打球槌３０を下向きに配置しているため、万一、パチンコ球や異物が球発射装置１４内に入り込むと、図７に示すように、パチンコ球や異物が打球槌３０の屈折部に引っ掛かったり、打球槌３０と本体基板２３との間の隙間に侵入してしまい、打球槌３０が正常に発射動作できなくなってしまうおそれがあるが、本実施形態では、保護カバー４４によって球発射装置１４付近に落下してきたパチンコ球や異物が球発射装置１４内に入り込むことを防止できて、打球槌３０の動作不良を未然に防止することができる。
【００２１】
一方、球発射装置１４の清掃、修理、点検等のメインテナンス作業を行うときには、図２に示すように、保護カバー４４を前方に開放すれば、球発射装置１４の主要部品が露出されるため、球発射装置１４のメインテナンス作業を行うことができる。
【００２２】
また、本実施形態では、保護カバー４４に、パチンコ球の発射通路３２の下端部３２ａを覆う発射通路カバー部５１を一体成形したので、もし、ファール球がファール球通路に落下せずに発射通路３２の下端部３２ａまで戻ってきても、そのファール球が発射通路３２の外に飛び出してしまうことを防止できて、ファール球を発射位置へ流下させることができる。
【００２３】
ところで、発射通路３２内のパチンコ球の遊びが大きいと、ファール球等によって発射通路３２の下端部３２ａ（発射位置の上方）に溜まった複数個のパチンコ球がジクザグ状に積み重なる。このため、最下位置のパチンコ球（発射位置のパチンコ球）を打球槌３０で打撃しても、その上方にジグザグ状に積み重なったパチンコ球には、打撃力を発射方向に十分に作用させることができず、発射通路３２の下端部３２ａに溜まったパチンコ球をいつまでたっても発射通路３２から遊技盤面へ打ち出すことができなくなってしまうおそれがある。
【００２４】
その点、本実施形態では、発射通路カバー部５１に、球遊び規制リブ５２を形成して発射通路３２内のパチンコ球の遊びを小さくすることで、ファール球等によって発射通路３２の下端部３２ａ（発射位置の上方）に複数個のパチンコ球が溜まったときに、それらのパチンコ球が発射方向にほぼ一直線状に積み重なるようにしたので、打球槌３０の打撃力を積み重なったパチンコ球の発射方向に確実に作用させることができ、発射通路３２の下端部３２ａに溜まったパチンコ球を速やかに発射通路３２から出すことができる。
【００２５】
しかも、開発段階でパチンコ球の遊びを最適寸法に調整する際に、成形金型の球遊び規制リブ５２の部分を部分的に修正するだけでパチンコ球の遊びを調整することができるという利点もある。
【００２６】
しかしながら、本発明は、発射通路カバー部５１に球遊び規制リブ５２を設けずに、発射通路カバー部５１の内面全体でパチンコ球の遊びを小さくするようにしても良い。
【００２７】
また、上記実施形態では、保護カバー４４の発射通路カバー部５２で発射通路３２の下端部３２ａのみを覆うようにしたが、発射通路カバー部５２を上方に延ばして発射通路３２の上側部まで覆うようにしても良い。
【００２８】
或は、保護カバー４４に発射通路カバー部５２を設けずに、保護カバー４４とは別部品で発射通路３２を覆うようにしても良い。
【００２９】
また、上記実施形態では、保護カバー４４を開閉可能に設けたが、保護カバーを脱着可能に設けるようにしても良く、この場合でも、本発明の所期の目的は十分に達成することができる。
【００３０】
その他、本発明は、保護カバーの形状や保護カバーで覆う球発射装置の部品を適宜変更しても良い。また、球発射装置の位置は、パチンコ機の左側下部に限定されず、パチンコ機の右側下部やパチンコ機の上部に球発射装置を設けた構成としても良い。
【図面の簡単な説明】
【００３１】
【図１】本発明の一実施形態における保護カバー閉鎖時の状態を示す球発射装置及びその周辺の正面図
【図２】保護カバー開放時の状態を示す球発射装置及びその周辺の正面図
【図３】球発射装置の横断面図
【図４】発射通路の横断面図
【図５】球発射装置及び球送出装置の縦断側面図
【図６】パチンコ機の正面図
【図７】打球槌にパチンコ球が引っ掛かった状態を示す球発射装置の正面図
【符号の説明】
【００３２】
１１…本体枠、１４…球発射装置、１５…前面パネル、１６…球皿、１８…球送出装置、２３…本体基板、２４…発射台、２６…球導入部、２７…補給誘導レール、２９…受止部、３０…打球槌、３２…発射通路、３５…ロータリソレノイド、３８…回動軸、４４…保護カバー、４５…ヒンジ機構、４９…開口部、５１…発射通路カバー部、５２…球遊び規制リブ。
【図１】
2007330819.tif 000003
【図２】
2007330819.tif 000004
【図３】
2007330819.tif 000005
【図４】
2007330819.tif 000006
【図５】
2007330819.tif 000007
【図６】
2007330819.tif 000008
【図７】
2007330819.tif 000009